(57)【要約】【課題】チップサイズの異なる複数の液晶ドライバの何れでも搭載可能であって、かつ容易に製造できる液晶セルを提供することである。【解決手段】第１のパッド群２６と、第２のパッド群２７とを有し、第１及び第２のパッド群２６、２７にそれぞれ対向する第１及び第２のバンプ群を有する液晶ドライバを搭載する際、第１のバンプ群とパッド群２６に合わせて位置決めされる液晶セル２において、第１のバンプ群と第２のバンプ群間の距離が最小の液晶ドライバを搭載した場合の第２のバンプ群の各バンプに対向する第１の位置２８と、第１のバンプ群と第２のバンプ群間の距離が最大の液晶ドライバを搭載した場合の第２のバンプ群の各バンプに対向する第２の位置２９と、の両方の位置を含むように第２のパッド群２７の各パッド２７ａが延在されて配設される構成とする。【選択図】図３
2008304495.tif 000002
【特許請求の範囲】
【請求項１】
ＣＯＧ方式で液晶ドライバを搭載するための電極であるパッドが複数形成されたパッド領域を備え、該パッド領域の液晶層側に並設された第１のパッド群と、前記パッド領域の液晶層側の反対側である液晶セルの端部側に並設された第２のパッド群とを有し、第１及び第２のパッド群にそれぞれ対向する第１及び第２のバンプ群を有する液晶ドライバを搭載する際、一方のバンプ群とパッド群に合わせて位置決めされる液晶セルにおいて、
第１のバンプ群と第２のバンプ群間の距離が異なる複数種の液晶ドライバの何れでも搭載できるように、
第１のバンプ群と第２のバンプ群間の距離が最小の液晶ドライバを搭載した場合の他方のバンプ群の各バンプに対向する第１の位置と、第１のバンプ群と第２のバンプ群間の距離が最大の液晶ドライバを搭載した場合の他方のバンプ群の各バンプに対向する第２の位置と、の両方の位置を含むように他方のパッド群の各パッドが延在されて配設されることを特徴とする液晶セル。
【請求項２】
前記一方のバンプ群とパッド群が第１のバンプ群とパッド群であり、前記他方のバンプ群とパッド群が第２のバンプ群とパッド群であることを特徴とする請求項１記載の液晶セル。
【請求項３】
第１のバンプ群と第２のバンプ群間の距離が異なる２種の液晶ドライバを搭載可能とし、その距離の差が０．１ｍｍであることを特徴とする請求項１又は２記載の液晶セル。
【請求項４】
第１のパッド群の各パッドは千鳥状に並設され、第２のパッド群の各パッドは１列に並設されていることを特徴とする請求項１〜３の何れかに記載の液晶セル。
【請求項５】
第１のパッド群の両端に、液晶ドライバを搭載する際のアライメントマークを設けたことを特徴とする請求項１〜４の何れかに記載の液晶セル。
【請求項６】
請求項１〜５の何れかに記載の液晶セルを備えたことを特徴とする液晶表示装置。
【発明の詳細な説明】
【技術分野】
【０００１】
本発明は、液晶を封入するとともに液晶ドライバを載置する液晶セルと、それを備えた液晶表示装置に関する。
【背景技術】
【０００２】
現在の液晶表示装置においては、狭額縁化を実現するために液晶ドライバを液晶セルに直接搭載するＣＯＧ（Chip On Glass）方式が用いられていることが多い。このＣＯＧ方式を用いる場合、液晶ドライバは、それぞれの液晶セルの配線レイアウトなどを考慮して個別に設計する必要がある。また逆に液晶セルを液晶ドライバに合わせて設計することもある。つまり、液晶ドライバと液晶セルは一対である。したがって、液晶ドライバ又は液晶セルのどちらかに変更があった場合は、他方の配線レイアウトなどを設計変更し直さなければならなかった。
【０００３】
この設計変更を回避するため例えば特許文献１には、駆動用ＩＣが搭載される領域の基板面上に、各駆動用ＩＣにおける映像信号線または走査信号線から伸びる信号線を共通に接続する共通配線を設け、基板上には、各駆動用ＩＣの入力端子に接続されている入力配線と、共通配線に接続されている配線が並んで配置されており、入力配線と配線は、実質的に同様の構成とした液晶表示装置が開示されている。これにより、駆動用ＩＣの種類変更に対応している。
【特許文献１】特開２００４−９４２７３号公報
【発明の開示】
【発明が解決しようとする課題】
【０００４】
しかしながら、特許文献１の手法は複雑であるのでもっと容易に複数の液晶ドライバに対応した液晶セルを実現することが望まれる。なぜなら、液晶表示装置を製造するメーカでは、コスト削減を図るために、液晶ドライバの購入先をより安い価格で仕入れられるメーカに切り替えたり、市場への供給数を増大及び確保するために、複数のメーカから液晶ドライバを購入したりすることがあるからである。このとき、液晶ドライバの各製造メーカでは、それぞれコストメリットのあるチップサイズが異なるため、同等品でもチップサイズが若干異なることがある。このような異なるチップサイズの液晶ドライバを複数メーカから仕入れて同製品の液晶表示装置を組み立てる場合に他の部品を共通化できなければコストアップに繋がる。
【０００５】
そこで本発明は、チップサイズの異なる複数の液晶ドライバの何れでも搭載可能であって、かつ容易に製造できる液晶セルを提供することを目的とする。また、この液晶セルを搭載した液晶表示装置を提供することも目的とする。
【課題を解決するための手段】
【０００６】
上記目的を達成するために本発明は、ＣＯＧ方式で液晶ドライバを搭載するための電極であるパッドが複数形成されたパッド領域を備え、該パッド領域の液晶層側に並設された第１のパッド群と、前記パッド領域の液晶層側の反対側である液晶セルの端部側に並設された第２のパッド群とを有し、第１及び第２のパッド群にそれぞれ対向する第１及び第２のバンプ群を有する液晶ドライバを搭載する際、一方のバンプ群とパッド群に合わせて位置決めされる液晶セルにおいて、第１のバンプ群と第２のバンプ群間の距離が異なる複数種の液晶ドライバの何れでも搭載できるように、第１のバンプ群と第２のバンプ群間の距離が最小の液晶ドライバを搭載した場合の他方のバンプ群の各バンプに対向する第１の位置と、第１のバンプ群と第２のバンプ群間の距離が最大の液晶ドライバを搭載した場合の他方のバンプ群の各バンプに対向する第２の位置と、の両方の位置を含むように他方のパッド群の各パッドが延在されて配設されることを特徴とする。
【０００７】
この液晶セルによると、第１のバンプ群と第２のバンプ群間の距離が異なる複数種の液晶ドライバに対応可能である。
【０００８】
上記の液晶セルにおいて、前記一方のバンプ群とパッド群が第１のバンプ群とパッド群であり、前記他方のバンプ群とパッド群が第２のバンプ群とパッド群であることが望ましい。第１のパッド群の各パッドが千鳥状に配設される場合に、パッド間のピッチを十分に確保できるからである。
【０００９】
また上記の液晶セルを具体化すると、第１のバンプ群と第２のバンプ群間の距離が異なる２種の液晶ドライバを搭載可能とし、その距離の差が０．１ｍｍである構成となる。
【００１０】
更に具体化すると、第１のパッド群の各パッドは千鳥状に並設され、第２のパッド群の各パッドは１列に並設されている構成となり、第１のパッド群の両端に、液晶ドライバを搭載する際のアライメントマークを設けた構成となる。
【００１１】
また、本発明の液晶表示装置は、上記の液晶セルを備えたことを特徴とする。
【発明の効果】
【００１２】
本発明によれば、１種の液晶セルでチップサイズの異なる複数の液晶ドライバを搭載することができる。したがって、コスト削減を図るために、液晶ドライバの購入先をより安い価格で仕入れられるメーカに切り替えたり、市場への供給数を増大及び確保するために、複数のメーカから液晶ドライバを購入したりする場合に、液晶ドライバの製造メーカの違いによって若干チップサイズが異なることがあっても、液晶セルを共通化することができるので設計変更の必要がなく、コストを削減することができる。また、本液晶セルの製造工程は従来と変わらないので従来の製造ラインで容易に製造することができる。
【発明を実施するための最良の形態】
【００１３】
本発明の液晶表示装置は、小型の表示部（液晶セル）を備え、プリンタやデジタルカメラ等の電子機器に搭載される。図１は、本発明の液晶表示装置の分解斜視図である。液晶表示装置１０は、ベゼル１と、液晶セル２と、プリズムシート３と、拡散板４と、導光板５と、バックライト６と、反射板７と、液晶ドライバ８とを備えている。
【００１４】
液晶表示装置１０は透過型の液晶表示装置であり、バックライト６から照射される光が液晶セル２を透過するときに分光されることで、表示を行うものである。バックライト６は図１に示すように棒状のランプである。液晶表示装置１０の背面には、バックライト６より入射面に照射された光を液晶セル２に向けて反射する反射板７が取り付けられている。
【００１５】
また、バックライト６に隣り合うように導光板５が配置されている。導光板５は点光源（線状の光源）であるバックライト６からの光を導光板５の大きさの面光源の光に切り替えるものである。導光板５の隣には拡散板４が配置されている。拡散板４は導光板５から照射される面光源の光を均一な強度の光に偏光するものである。
【００１６】
拡散板４の隣にはプリズムシート３が配置されている。プリズムシート３は拡散板４から出射してきた光を、拡散板４の反対側に集光するものである。プリズムシート３の隣には液晶セル２が配置されており、プリズムシート３にて集光された光は液晶セル２の入射面２１に入射する。
【００１７】
液晶セル２は２枚のガラスを貼り合わせて内部に液晶層を注入したものである。液晶セル２の入射面２１及び液晶表示部２２には透過する光の振動方向を制限する偏光フィルム２３、２４が貼り付けられている。光は液晶セル２にてＲ、Ｇ、Ｂの波長の光に分光されることで液晶表示部２２に画像を表示する。
【００１８】
液晶セル２と隣り合うようにベゼル１が配置される。ベゼル１は一面が開いた箱状の形状を有しており、液晶セル２の液晶表示部２２が外部に面することができるように開口を備えている。液晶セル２は入射面２１に対して液晶表示部２２が小さく形成されており段差２０が形成されている。この段差２０に液晶ドライバ８がＣＯＧ（Chip On Glass）で搭載されている。液晶ドライバ８は、液晶セル２に電圧を供給して液晶を駆動させるものであり、詳細については後述する。
【００１９】
次に、液晶表示装置１０の回路構成について説明する。図２は、液晶表示装置１０の回路構成を示すブロック図である。液晶表示装置１０は、液晶セル２と、液晶ドライバ８と、液晶用回路１１と、メイン回路１２とを備えている。
【００２０】
液晶セル２は、水平方向に沿って複数配置されるスキャンラインと、垂直方向に沿って複数配置されるデータラインと、スキャンラインにゲートが接続されるとともに、ソース又はドレインにデータラインが接続されるＴＦＴ（不図示）とを有している。
【００２１】
液晶ドライバ８は、ソースドライバ１３とゲートドライバ１４とからなる。ソースドライバ１３は、液晶セル２の複数のデータラインに接続されており、データラインにデータ電圧（データ信号）を供給する。ゲートドライバ１４は、液晶セル２の複数のスキャンラインに接続されており、スキャンラインにスキャン電圧（ゲート電圧）を供給する。
【００２２】
液晶用回路１１は、タイミングコントローラ１５と、電源回路１６とを備えている。タイミングコントローラ１５は、メイン回路１２からの信号に基づいて水平同期信号及び垂直同期信号をそれぞれゲートドライバ１４及びソースドライバ１３に供給する。電源回路１６は、ゲートドライバ１４及びソースドライバ１３に必要な電圧を生成し、ゲートドライバ１４及びソースドライバ１３に出力する。
【００２３】
メイン回路１２は、プリンタやデジタルカメラ等の電子機器の動作全体を制御する制御回路である。メイン回路１２は、液晶用回路１１を制御して液晶セル２への表示を制御する。
【００２４】
次に、液晶セル２のパッドの配置と液晶ドライバ８のバンプの配置とについて説明する。図３は、液晶セル２の段差２０部分の拡大図である。図３ではパッドに繋がる配線は図が煩雑になるため省略している。
【００２５】
図３に示すように、液晶セル２の段差２０の表面には、ＣＯＧ方式で液晶ドライバ８を搭載するための電極であるパッドが複数形成されたパッド領域２５がある。パッドにはＡｌなどの導電性部材が用いられる。パッドは矩形状であり、一辺が２０〜２００μｍである。パッドの配置は、パッド領域２５の液晶層側にパッド２６ａとパッド２６ｂとが千鳥状に並設される第１のパッド群２６と、パッド領域の液晶層側の反対側である液晶セル２の端部側にパッド２７ａが１列に並設される第２のパッド群２７とに分けられる。第１のパッド群２６は、主に液晶セル２への出力用に用いられ、第２のパッド群２７は、主に液晶用回路１１からの入力用に用いられる。
【００２６】
また、第１のパッド群２６の両端に、液晶ドライバ８を搭載する際の位置決めとなるアライメントマーク２６ｃ、２６ｄが設けられている。アライメントマーク２６ｃ、２６ｄは、例えば図３に示すような十字型であり、印刷などにより形成される。
【００２７】
一方、液晶ドライバ８には、パッドに対向する位置に突起電極であるバンプが複数形成されている。第１及び第２のパッド群にそれぞれ対向するように第１及び第２のバンプ群が設けられ、それぞれのパッドに対向するようにそれぞれのバンプが設けられている。バンプは液晶ドライバ８の電極部にＡｕメッキなどで形成された突起であり、対向するパッドより一回り小さく形成されている。バンプは矩形状であり、一辺が２０〜１００μｍである。
【００２８】
そしてバンプは異方性導電膜を介してパッドに接続される。このとき、アライメントマーク２６ｃ、２６ｄは第１のバンプ群と第１のパッド群２６とを合わせるように設計されているので、アライメントマーク２６ｃ、２６ｄを用いて液晶ドライバ８の位置決めを行えば、第１のバンプ群が第１のパッド群２６に合わさるように位置決めされる。それに伴って、第２のバンプ群も第２のパッド群２７上に自動的に位置決めされる。
【００２９】
また、液晶セル２は、第１のバンプ群と第２のバンプ群間の距離が異なる複数種の液晶ドライバの中から所望の１つを搭載できるように設計されている。図３の破線で囲まれた部分は搭載可能な液晶ドライバの中で第１のバンプ群と第２のバンプ群間の距離が最小の液晶ドライバを搭載した場合の第２のバンプ群の各バンプに対向する位置であり、これを第１の位置２８とする。また、図３の一転鎖線で囲まれた部分は搭載可能な液晶ドライバの中で第１のバンプ群と第２のバンプ群間の距離が最大の液晶ドライバを搭載した場合の第２のバンプ群の各バンプに対向する位置であり、これを第２の位置２９とする。
【００３０】
そして、これら第１の位置２８と第２の位置２９の両方を含むように第２のパッド群２７の各パッド２７ａが延在されて配設されている。このようなパッド２７ａの形状により、第１の位置２８から第２の位置２９間に形成される第２のバンプ群を有する液晶ドライバであれば、液晶セル２に搭載することができる。すなわち液晶セル２は、第１のバンプ群と第２のバンプ群間の距離が異なる複数種の液晶ドライバを搭載することができる。
【００３１】
したがって、コスト削減を図るために、液晶ドライバの購入先をより安い価格で仕入れられるメーカに切り替えたり、市場への供給数を増大及び確保するために、複数のメーカから液晶ドライバを購入したりする場合に、液晶ドライバの製造メーカの違いによって若干チップサイズが異なることがあっても、液晶セルを共通化することができるので設計変更の必要がなく、コストを削減することができる。また、本液晶セル２の製造工程は従来と変わらないので従来の製造ラインで容易に製造することができる。
【００３２】
次に、液晶セル２及び液晶ドライバ８の実施例を説明する。液晶セル２は、チップサイズが２３×１．３ｍｍの第１の液晶ドライバと、チップサイズが２３×１．２ｍｍの第２の液晶ドライバとを搭載可能とする。第２の液晶ドライバの縦の長さが第１の液晶ドライバは縦の長さよりも０．１ｍｍ短いので、第２の液晶ドライバの第１のバンプ群と第２のバンプ群間の距離も第１の液晶ドライバの第１のバンプ群と第２のバンプ群間の距離よりも０．１ｍｍ短いものとする。第１のバンプ群の配置や第１及び第２のバンプ群の各バンプの大きさは、第１及び第２の液晶ドライバで同じであるとする。
【００３３】
図３を流用すれば、第１の位置２８が、第２の液晶ドライバの第２のバンプ群の各バンプに対向する位置となり、第２の位置２９が、第１の液晶ドライバの第２のバンプ群の各バンプに対向する位置となる。このとき、第１の位置２８と第２の位置２９とのずれ量Ｌは０．１ｍｍとなる。したがって、第１の液晶ドライバ又は第２の液晶ドライバのどちらか一方のみを搭載可能な従来の液晶セルのパッドと比較して、本実施例の液晶セル２のパッド２７ａは従来のパッドよりもずれ量Ｌ（０．１ｍｍ）の分だけ長くなっている。
【００３４】
このように、パッド２７ａを従来よりも０．１ｍｍ長くすることにより、液晶セル２は第１の液晶ドライバと第２の液晶ドライバのどちらでも搭載することができる。
【００３５】
なお、上記の実施形態では、アライメントマーク２６ｃ、２６ｄは第１のバンプ群と第１のパッド群２６とを合わせるように設計されているものとしたが、アライメントマークは第２のバンプ群と第２のパッド群とを合わせるように設計してもよい。この場合、第２のパッド群のパッド２７ａは第２の位置２９に合わせてそれより一回り大きくしておき、第１のパッド群２６の各パッド２６ａ、２６ｂを第２のパッド群側へ延ばすことで、第１のバンプ群の位置の変化に対応でき、液晶セル２は、第１のバンプ群と第２のバンプ群間の距離が異なる複数種の液晶ドライバを搭載することができる。
【産業上の利用可能性】
【００３６】
本発明の液晶表示装置は、小型のものであればプリンタやデジタルカメラ等の電子機器に、大型のものであればテレビやパーソナルコンピュータのディスプレイに利用することができる。
【図面の簡単な説明】
【００３７】
【図１】本発明の液晶表示装置の分解斜視図である。
【図２】本発明の液晶表示装置の回路構成を示すブロック図である。
【図３】本発明の液晶セル２の段差部分の拡大図である。
【符号の説明】
【００３８】
２    液晶セル
８    液晶ドライバ
１０    液晶表示装置
２５    パッド領域
２６    第１のパッド群
２６ｃ、２６ｄ    アライメントマーク
２６ａ、２６ｂ、２７ａ    パッド
２７    第２のパッド群
２８    第１の位置
２９    第２の位置
【図１】
2008304495.tif 000003
【図２】
2008304495.tif 000004
【図３】
2008304495.tif 000005